(57)【要約】【課題】視認性に優れ誤操作を起こしにくい穀物乾燥機用操作盤を提供する。【解決手段】操作盤１２には水分、穀物量などの変更値２０を設定する操作ダイヤル１４、変更値２０を表示する表示画面１６から構成され、さらに表示画面１６内において現在設定変更中の変更値２０を表示する吹き出し１８が表示画面１６内に表示される。すなわち、操作ダイヤル１４にて何らかの変更値２０を設定した場合、該当する変更値２０が表示画面１６内の吹き出し１８中に表示され、操作ダイヤル１４の操作に連動して変化する変更値２０が表示される。このとき、吹き出し１８は現在操作中の操作ダイヤル１４を指し示すので、作業者は現在設定中の変更値２０を直感的に認識することが出来る。【選択図】図４
2008064352.tif 000002
【特許請求の範囲】
【請求項１】
装置に入力された複数の設定値を表示する表示手段と、
個々の前記設定値と一対一で対応し、これを変更する複数の操作手段と、
を備え、
前記操作手段にて前記設定値を変更する際には、変更される前記設定値のみを前記表示手段で表示することを特徴とする穀物乾燥機用操作盤。
【請求項２】
前記操作手段にて前記設定値を変更する際には、変更される前記設定値のみを、操作中の前記操作手段を指し示す形状の枠線で囲み表示することを特徴とする請求項１に記載の穀物乾燥機用操作盤。
【発明の詳細な説明】
【技術分野】
【０００１】
本発明は穀物乾燥機用操作盤に関し、特に豆、籾、麦等の穀物を乾燥させるための穀物乾燥機に備えられた操作盤に関する。
【背景技術】
【０００２】
穀物の乾燥には、集積した穀物の間に乾燥熱風を通過させる穀物乾燥機が用いられている（例えば、特許文献１参照）。
【０００３】
この種の穀物乾燥機には集穀部が形成されており、機体の壁部に形成された張込部から張り込まれた穀物が集穀部に集められる。集穀部には搬送方向が水平方向のスクリューコンベア等の水平搬送装置が設けられており、集穀部に集められた穀物は水平搬送装置の一端側へ送られる。水平搬送装置の一端側には垂直搬送装置（揚穀機）が設けられており、水平搬送装置の一端側へ送られた穀物は垂直搬送装置によって機体の上方へ搬送される。
【０００４】
機体内の集穀部の上側には、穀物の通過が不能な程度の孔が多数形成された多孔板により形成された乾燥部が設けられており、垂直搬送装置によって機体の上側へ搬送された穀物は、更に、垂直搬送装置の上端側の近傍に設けられたスクリューコンベア等の水平搬送装置により水平方向に搬送されて機体の上側から乾燥部内に落下させられ、乾燥部内に穀物が集積される。
【０００５】
乾燥部内には水平方向に導風筒が亘っている。導風筒の一端側にはブロア等の乾燥熱風源が設けられており、乾燥熱風源が作動すると導風筒の一端側から他端側へ乾燥熱風が通過する。また、導風筒は穀物の通過が不能な大きさの多数の孔が形成されており、導風筒を流れる乾燥熱風は導風筒から流れ出る。
【０００６】
一方、乾燥部を構成する多孔板の外側には排気筒が設けられている。排気筒は導風筒と同様に多孔質に形成されており、その一端側にはファン等により空気を吸引する排風機が設けられている。排風機が作動することで排気筒の内側には負圧が生じ、排気筒に形成された多数の孔から空気を吸引する。これにより、導風筒から流れ出た乾燥熱風が排気筒に吸引されて機体の外部で排気される。
【０００７】
このように、乾燥熱風は導風筒から排気筒に向かう際に、乾燥部内で集積された穀物の間を通過する。乾燥熱風が穀物の間を通過することで穀物が乾燥される。
【０００８】
この種の穀物乾燥機には機体の外壁にディスプレイが取り付けられており、穀物乾燥機の現在の運転状態、機体内の穀物の状態、その時点で行ないうる作業内容等が表示され、作業者はディスプレイを視認することで情報を確認できるようになっている。例えば乾燥する穀物の水分量設定値、穀物の量、穀物の種類等がディスプレイで表示され、作業者は表示内容を目視で確認しながら設定の変更を行うことができる。
【０００９】
例として図５に示すように、操作ダイヤル１１４Ａ（水分設定）、１１４Ｂ（穀物量）、１１４Ｃ（穀物切替）に対応して表示盤１１６（ディスプレイ）上にはそれぞれに該当する数値が表示され、各操作ダイヤル１１４の操作に連動して変動する数値表示が行われるので、作業者は表示盤１１６を目視で確認しながら操作ダイヤル１１４を操作する。
【特許文献１】実開昭６３−１３９４９３号公報
【発明の開示】
【発明が解決しようとする課題】
【００１０】
しかし、上記のディスプレイは通常、複数の操作ダイヤルによって変更される数値を併記しており、作業者は操作ダイヤルを操作しながら、表示される複数の数値の中から目的の数値をディスプレイ上にて確認し、目標の値に設定する必要がある。
【００１１】
このとき作業者は、限られた表示面積しか持たないディスプレイ上に複数同時に表示された数値の中から目的の数値を探し出す動作と、操作ダイヤルを操作して数値を変更し目標の値に変更する動作とを同時に行う必要があり、煩雑な操作による負担が大きい。
【００１２】
特に昨今は農作業者の高年齢化に伴い、小さい文字の判読を必要とする作業は作業者の視力への負担が大きいため、より困難なものとなる。とりわけ現在操作中の操作ダイヤルが、表示されている複数の数値のうち、どの数値を変更しているかを瞬時に確認する必要がある点が特に困難を伴う。
【００１３】
本発明は上記事実を考慮し、ディスプレイ上に現在必要な情報のみを大きく、かつ操作中の操作ダイヤルと関連づけて情報を表示できる穀物乾燥機を得ることが目的である。
【課題を解決するための手段】
【００１４】
請求項１に記載の穀物乾燥機用操作盤は、装置に入力された複数の設定値を表示する表示手段と、個々の前記設定値と一対一で対応し、これを変更する複数の操作手段と、を備え、前記操作手段にて前記設定値を変更する際には、変更される前記設定値のみを前記表示手段で表示することを特徴とする。
【００１５】
上記構成の発明では、操作手段にて設定値を変更する際には、変更される設定値のみを表示手段で表示するため設定値の視認性に優れ、また表示文字数を少なくできるので同じ面積の表示盤では従来よりも文字サイズを大きくできる。
【００１６】
請求項２に記載の穀物乾燥機用操作盤は、前記操作手段にて前記設定値を変更する際には、変更される前記設定値のみを、操作中の前記操作手段を指し示す形状の枠線で囲み表示することを特徴とする。
【００１７】
上記構成の発明では、設定値を囲む枠線が対応する操作手段を指し示すので、表示中の設定値が現在操作中の操作手段と直感的に関連付けられ、作業者は現在設定中の設定値が所望の値であるかどうかを直感的に認識することができる。
【発明の効果】
【００１８】
本発明は上記構成としたので、視認性に優れ誤操作を起こしにくい穀物乾燥機用操作盤とすることができた。
【発明を実施するための最良の形態】
【００１９】
＜全体構成＞
図１には本発明に係る穀物乾燥装置１０の全体斜視図が、図２には穀物乾燥装置１０を正面から見た縦断面図が示されている。
【００２０】
また、図３には穀物乾燥装置を側面から見た縦断面図（図２のＡ−Ａ線に沿った縦断面図）が示されている。
【００２１】
穀物乾燥装置１０の機体１１は、機壁としての左右一対の側壁１３、前面壁１５、後面壁１７、天井壁１９及び底壁２２によって、上下に高く前後に長い箱状に形成されている。機体１１の上部内洞は、機体１１内部に投入された穀物を収容する穀物槽２４とされている。また、機体１１の下部には乾燥部２６が設けられている。
【００２２】
この機体１１の下部には、多孔板３２で略菱形状に形成された導風路３４が設けられている。この導風路３４の下端部は開放されている。
【００２３】
さらに、導風路３４の上部両側には、導風路３４とほぼ同様に構成された小型の一対の補助導風路３８が設けられている。
【００２４】
また、導風路３４の下部両側には、一対の多孔板２８が設けられている。これらの多孔板２８は、導風路３４の下部の多孔板３２に対して平行に傾斜して配置されている。
【００２５】
このような多孔板２８と機体１１の側壁との間には、一対の排風路３０が設けられている。
【００２６】
また、多孔板２８と前述の導風路３４との間、多孔板２８と補助導風路３８との間、及び導風路３４と補助導風路３８との間は、穀物槽２４内の穀物が流下する流下路４０とされている。
【００２７】
流下路４０の下端部には、シャッタドラム６４が設けられている。シャッタドラム６４は、略円筒形状に形成されており、その軸線が水平方向に平行とされており、この軸線周りに回転可能とされている。このシャッタドラム６４の外周部には、所定の幅寸法で軸方向に沿ってスリット状の切欠きが互い違いに形成されている。
【００２８】
シャッタドラム６４の下方には、側壁１３間の中央部へ向けて下向きにテーパとされた一対の張込み流し板６６が配置されている。また、側壁１３の下部には、張込み流し板６６の上端縁に対応して張込みホッパ６８が取り付けられており、機体１１内へ穀物を投入することができる。
【００２９】
張込み流し板６６の各下方端には、穀物搬送用の下スクリューコンベヤ７０が設けられている。下スクリューコンベヤ７０は、機体１１の長手方向に沿って水平に配置されており、その外周の螺旋状の羽根に入り込んだ穀物を昇降機７２へと送り出すようになっている。
【００３０】
昇降機７２は、機体１１の側部に立設されており、下端部が下スクリューコンベヤ７０の端部に接続されている。昇降機７２内には、一定間隔で穀物搬送用バケット７４が無端ベルトに取り付けられており、下スクリューコンベヤ７０から送り出されて下端部に堆積した穀物を機体１１の最上部まで持ち上げ搬送する。
【００３１】
昇降機７２の上端部には、上スクリューコンベヤ７６がシャッタドラム６４と平行に配置されている。上スクリューコンベヤ７６は、その軸方向に回転自在に配置されている。上スクリューコンベヤ７６の基端部は昇降機７２の上端部に連結されており、先端部には上面視にて穀物槽２４の中央部に配置された回転式均分機７８が連結されている。このため、上スクリューコンベヤ７６は、昇降機７２によって持上げ搬送された穀物を受け取って回転式均分機７８に搬送することができるようになっている。
【００３２】
また、機体１１の前面壁１５の下部には、乾燥風発生室４２が形成されている。乾燥風発生室４２の内部には、乾燥風発生用のバーナ４４が設けられている。乾燥風発生室４２は、前述の導風路３４と連通されている。従って、バーナ４４によって発生した乾燥風は、乾燥風発生室４２を通って導風路３４へ送り込まれる。
【００３３】
一方、機体１１の後面壁１７の下部には、排風路３０に対応して乾燥風吸引室５０が形成されている。乾燥風吸引室５０の内部には、排風用の吸引排風機５２が設けられている。乾燥風吸引室５０は、導風路３４と連通されている。従って、吸引排風機５２の作動時には、バーナ４４によって発生した乾燥風は、導風路３４から乾燥風吸引室５０を介して機体１１外へ排出されるようになっている。
＜操作盤＞
図４には本発明に係る穀物乾燥装置の操作盤が示されている。
【００３４】
図４（Ａ）〜（ｃ）に示すように、操作盤１２には水分、穀物量などの変更値２０を設定する操作ダイヤル１４、変更値２０を表示する表示画面１６から構成され、さらに表示画面１６内において現在設定変更中の変更値２０を表示する吹き出し１８が表示画面１６内に表示される。
【００３５】
すなわち、操作ダイヤル１４にて何らかの変更値２０を設定した場合、該当する変更値２０が表示画面１６内の吹き出し１８中に表示され、操作ダイヤル１４の操作に連動して変化する変更値２０が表示される。このとき、吹き出し１８は現在操作中の操作ダイヤル１４を指し示すので、作業者は現在設定中の変更値２０を直感的に認識することが出来る。
【００３６】
例として図４（Ａ）のように水分設定ダイヤル１４Ａを操作して変更値２０Ａ「水分設定」を設定すると、吹き出し１８Ａおよびその中の変更値２０Ａ「水分設定」が表示画面１６上に表示される。吹き出し１８Ａは水分設定ダイヤル１４Ａを指し示しているので、作業者は現在設定中の変更値２０が変更値２０Ａ「水分設定」であることを直感的に認識することができる。
【００３７】
同様に穀物量設定ダイヤル１４Ｂを操作すれば、図４（Ｂ）のように吹き出し１８Ｂが表示され、吹き出し１８Ｂの中には変更値２０Ｂ「穀物量」が表示される。吹き出し１８Ｂは穀物量設定ダイヤル１４Ｂを指し示しているので、作業者は現在設定中の変更値２０が変更値２０Ｂ「穀物量」であることを直感的に認識することができる。
【００３８】
さらに穀物切替設定ダイヤル１４Ｃを操作すれば、図４（Ｃ）のように吹き出し１８Ｃが表示され、吹き出し１８Ｃの中には変更値２０Ｃ「穀物切替」が表示される。吹き出し１８Ｃは穀物切替設定ダイヤル１４Ｃを指し示しているので、作業者は現在設定中の変更値２０が変更値２０Ｃ「穀物切替」であることを直感的に認識することができる。
【００３９】
このとき本発明では、図５に示す従来例のように変更値すべてを表示する必要はないので、水分設定ダイヤル１４Ａを操作して変更値２０Ａ「水分設定」を設定すると、吹き出し１８を表示したとしても、表示画面１６を現在操作中の変更値２０Ａ「水分設定」の表示に専ら用いることができるので、表示画面１６の大きさが従来と同じであったとしても結果として変更値２０Ａ「水分設定」の表示文字サイズを従来例に比較して大きくすることができる。
【００４０】
また、吹き出し１８は例えば図４（Ａ）のように現在操作中の操作ダイヤル１４（この場合は水分設定ダイヤル１４Ａ）を指し示している。このため、作業者は現在操作中の操作ダイヤル（水分設定ダイヤル１４Ａ）を視認してから操作を開始する必要がない。
【００４１】
さらに、誤って別の操作ダイヤル１４を操作した場合でも、表示画面１６には現在操作中の操作ダイヤル１４（水分設定ダイヤル１４Ａ）を指し示す吹き出し１８Ａが表示されるため、作業者に対して誤操作を警告し、注意を促すことができる。
【００４２】
これにより作業者の目への負担が軽減され、同時に視認性が向上するので、高齢の作業者であっても問題なく作業を行うことができる。
【００４３】
また、穀物乾燥装置１０を新規に設置した時や基板を交換した際など、種々の数値を初期設定値として操作ダイヤル１４にて設定する必要がある場合においても、操作ダイヤル１４を操作することで表示画面１６中に現在設定中の変更値２０に対応した吹き出し１８が表示される。すなわち、変更すべき数値が未だ操作ダイヤル１４にて設定されていない状態においては、操作ダイヤル１４での操作は数値変更ではなく数値設定となるが、この場合でも操作ダイヤル１４の操作に伴って表示画面１６中に現在数値設定中の変更値２０に対応した吹き出し１８が表示される。これにより、作業者が設定すべき数値の種類（水分設定、穀物量など）を間違える虞がない。
【００４４】
さらに、操作ダイヤル１４にて何らかの変更値２０を設定する前の表示画面１６、すなわち所謂定常状態においては吹き出し１８が表示画面１６内に表示され、あるいは特定の変更値２０が大きく表示される必要はないので、図５に示すように従来通り全ての変更値２０が小さいサイズにて表示されていれば、表示手段としての表示画面１６の機能を損なう虞もない。
【００４５】
加えて、操作を終了して操作ダイヤル１４から手を離した後、所定時間後には上記のように全ての変更値２０が表示画面１６に小さいサイズにて表示される状態に復帰するように設定されていれば、数値の変更操作を必要としない所謂定常状態において全ての数値を表示画面１６上で視認することができる。
＜その他＞
尚、本発明は、上記の実施の形態に限定されるものではない。
【００４６】
例えば、上記実施の形態では水分設定／穀物量／穀物切替の３つの変更値を設定する操作ダイヤル及び表示画面に関するが、これに限定されず設定する必要のある変更値が多いほど本発明の優位性は顕著になる。
【００４７】
すなわち、変更値２０の種類が多ければ表示画面１６の限られた面積に全ての値を表示するのは難しく、また操作中の操作ダイヤル１４との関連も直感的に認識しにくくなるが、本発明においては変更値２０の種類が増えても表示画面１６に表示される変更値２０は１種類なので、表示画面１６の面積を専ら現在設定中の変更値２０の表示に用いることができ、作業者の目に負担を掛けずに作業可能とすることができる。
【００４８】
また、変更値２０および操作ダイヤル１４の数が増えるほど両者を関連付けて認識するのは難しくなるが、本発明の吹き出し１８にて指示する方法であれば、変更値２０および操作ダイヤル１４の数が増えても現在設定中の変更値２０と操作ダイヤル１４とを直感的に結びつけて認識することができる。
【図面の簡単な説明】
【００４９】
【図１】本発明に係る穀物乾燥装置を示す斜視図である。
【図２】本発明に係る穀物乾燥装置を示す断面図である。
【図３】図２のＡ−Ａ線に沿った断面図である。
【図４】本発明に係る穀物乾燥装置の操作盤を示す図である。
【図５】従来の穀物乾燥装置の操作盤を示す図である。
【符号の説明】
【００５０】
１０    穀物乾燥装置
１１    機体
１２    操作盤
１４    操作ダイヤル（操作手段）
１６    表示画面（表示手段）
１８    吹き出し（枠線）
２０    変更値（設定値）
【図１】
2008064352.tif 000003
【図２】
2008064352.tif 000004
【図３】
2008064352.tif 000005
【図４】
2008064352.tif 000006
【図５】
2008064352.tif 000007